(57)【要約】【課題】棒状体を弾性的に保持可能な連結具のクランプ部において、棒状体の挿入性を良好に維持しつつ、その保持力を高める。【解決手段】バックル１が、開口端４ａから挿入された棒状体Ｒを弾性的に保持するクランプ部２を少なくとも１つ備え、クランプ部には、略Ｃ字状断面を呈するとともに、その保持軸方向の一側に弾性変形容易な易変形部６，４１を設けた構成とする。【選択図】図６
2010042064.tif 000002
【特許請求の範囲】
【請求項１】
開口端から挿入された棒状体を弾性的に保持するクランプ部を少なくとも１つ備えた連結具であって、
前記クランプ部は、略Ｃ字状断面を呈するとともに、その保持軸方向の一側に弾性変形容易な易変形部を有することを特徴とする連結具。
【請求項２】
前記クランプ部の前記保持軸方向の一側において、当該クランプ部との間に前記棒状体を挿入可能な間隙を配するように設けられた当接片を更に備え、
前記クランプ部は、前記棒状体が前記間隙に挿入された状態における当該棒状体の軸方向の一側に前記開口端が設けられ、
前記当接片は、前記棒状体が前記間隙に挿入された後に当該間隙を中心として前記クランプ部の前記開口端に向けて回動させられた際に、前記棒状体を前記開口端から挿入する挿入力を生じさせるべく当該棒状体に当接することを特徴とする、請求項１に記載の連結具。
【請求項３】
前記保持軸方向の一側が互いに対向して配置されるとともに、前記棒状体を挿入可能な間隙を介して並設された第１および第２のクランプ部を備え、
前記第１および第２のクランプ部は、前記棒状体が前記間隙に挿入された状態における当該棒状体の軸方向の一側および他側にそれぞれ前記開口端が設けられたことを特徴とする、請求項１に記載の連結具。
【請求項４】
前記易変形部は、前記保持軸方向の一側に切欠き部を設けることによって形成されたことを特徴とする、請求項１〜請求項３のいずれかに記載の連結具。
【請求項５】
前記易変形部は、前記保持軸方向の一側に薄肉部を設けることによって形成されたことを特徴とする、請求項１〜請求項３のいずれかに記載の連結具。
【請求項６】
前記開口端には、前記棒状体の挿入をガイドする傾斜面が形成されたことを特徴とする、請求項１〜請求項５のいずれかに記載の連結具。
【請求項７】
帯状体を取付可能な帯状体取付部を更に備えたことを特徴とする請求項１〜請求項６のいずれかに記載の連結具。
【請求項８】
取付部材と被取付部材との連結構造であって、
前記取付部材と前記被取付部材との一方が棒状体を備えるとともに、他方が請求項１〜請求項７のいずれかに記載の連結具を備え、
前記棒状体と前記連結具との少なくとも一方が複数設けられたことを特徴とする連結構造。
【請求項９】
取付部材と被取付部材との連結構造であって、
前記取付部材と前記被取付部材とが棒状体を少なくとも１つ備え、
前記取付部材と前記被取付部材とが、請求項１〜請求項７のいずれかに記載の連結具を複数備えた連結手段によって連結されたことを特徴とする連結構造。
【請求項１０】
請求項１〜請求項７のいずれかに記載の連結具または請求項８もしくは請求項９に記載の連結構造を備えた袋物。
【発明の詳細な説明】
【技術分野】
【０００１】
本発明は、棒状体を固定するクランプ部を備えた連結具及びこれを用いた連結機構並びにこれらを備えた袋物に関する。
【背景技術】
【０００２】
リュックサック等におけるショルダベルト、サイドコンプレッションおよびチェストストラップ等には、それらの少なくとも一部を構成する帯状体（ベルト、テープ等）の連結具としてバックルが用いられている（特許文献１参照）。
【０００３】
この種のバックルは、巻き掛け部等を備えることにより帯状体の有効長さを調節可能として、使用者に対する密着性の向上や収容物の移動・片寄り防止などの機能を果たすが、その連結対象としては帯状体に限らず棒状体（軸部材、管部材等）が望まれる場合もある。棒状体を連結対象とする連結具としては、例えば、テント等のパイプを固定可能な一対のＣ字形状のクランプ部を備えたテントシート用張設具が知られている（特許文献２参照）。
【特許文献１】意匠登録第１２０９８５５号公報
【特許文献２】意匠登録第１０１９０５１号公報
【発明の開示】
【発明が解決しようとする課題】
【０００４】
しかしながら、上記特許文献２に記載の従来技術では、その構造上、クランプ部におけるパイプ（棒状体）の保持力を高めようとすると、クランプ部の保持開口に対するパイプの挿入力が増大（即ち、パイプ取付時の作業性が低下）してしまうという問題があった。
【０００５】
本発明は、このような従来技術の課題を鑑みて案出されたものであり、棒状体を弾性的に保持するクランプ部において、棒状体の挿入性を良好に維持しつつ、その保持力を高めることを可能とする連結具及びこれを用いた連結機構並びにこれらを備えた袋物を提供することを目的とする。
【課題を解決するための手段】
【０００６】
上記課題を解決するためになされた第１の発明は、開口端（４ａ）から挿入された棒状体（Ｒ）を弾性的に保持するクランプ部（２）を少なくとも１つ備えた連結具であって、前記クランプ部は、略Ｃ字状断面を呈するとともに、その保持軸方向の一側に弾性変形容易な易変形部（６，４１）を有する構成とする。
【０００７】
上記課題を解決するためになされた第２の発明は、前記保持軸方向の一側が互いに対向して配置されるとともに、前記棒状体を挿入可能な間隙（２２）を介して並設された第１および第２のクランプ部を備え、前記第１および第２のクランプ部は、前記棒状体が前記間隙に挿入された状態における当該棒状体の軸方向の一側および他側にそれぞれ前記開口端が設けられた構成とすることができる。
【０００８】
上記課題を解決するためになされた第３の発明は、前記クランプ部の前記保持軸方向の一側において、当該クランプ部との間に前記棒状体を挿入可能な間隙（２２）を配するように設けられた当接片（８１）を更に備え、前記クランプ部は、前記棒状体が前記間隙に挿入された状態における当該棒状体の軸方向の一側に前記開口端が設けられ、前記当接片は、前記棒状体が前記間隙に挿入された後に当該間隙を中心として前記クランプ部の前記開口端に向けて回動させられた際に、前記棒状体を前記開口端から挿入する挿入力を生じさせるべく当該棒状体に当接する構成とすることができる。
【０００９】
上記課題を解決するためになされた第４の発明として、前記易変形部は、前記保持軸方向の一側に切欠き部（４１）を設けることによって形成された構成とすることができる。
【００１０】
上記課題を解決するためになされた第５の発明は、前記易変形部は、前記保持軸方向の一側に薄肉部（６）を設けることによって形成された構成とすることができる。
【００１１】
上記課題を解決するためになされた第６の発明として、前記開口端には、前記棒状体の挿入をガイドする傾斜面（３８）が形成された構成とすることができる。
【００１２】
上記課題を解決するためになされた第７の発明として、帯状体（Ｂ）を取付可能な帯状体取付部（３）を更に備えた構成とすることができる。
【００１３】
上記課題を解決するためになされた第８の発明として、取付部材（５１ａ）と被取付部材（５２）との連結構造であって、前記取付部材と前記被取付部材との一方が棒状体（Ｒ）を備えるとともに、他方が上記第１から第５の発明の何れかに係る連結具（１）を備え、前記棒状体と前記連結具との少なくとも一方が複数設けられた構成とする。
【００１４】
上記課題を解決するためになされた第９の発明として、取付部材（５１ａ）と被取付部材（５２）との連結構造であって、前記取付部材と前記被取付部材とが棒状体（Ｒ）を少なくとも１つ備え、前記取付部材と前記被取付部材とが、上記第１から第５の発明の何れかに係る連結具（１）を複数備えた連結手段（５５，６２，７２）によって連結された構成とすることができる。
【００１５】
上記課題を解決するためになされた第１０の発明は、上記第１から第７の発明の何れかに係る連結具または上記第８もしくは第９の発明に係る連結構造を備えた袋物とする。
【発明の効果】
【００１６】
上記第１の発明によれば、棒状体を弾性的に保持するクランプ部において、保持軸方向一側における棒状体の挿入性を良好に維持しつつ、その保持力を高めることが可能となる。特に、棒状体を回動させて保持軸方向一側から開口に挿入する構成に有効である。上記第２の発明によれば、棒状体を回動させて保持軸方向一側から開口に挿入する構成を容易に実現することができる。上記第３の発明によれば、１つのクランプ部のみを設ける場合でも、棒状体を回動させて保持軸方向一側から開口に挿入する構成を容易に実現することができる。上記第４の発明によれば、簡易な構成によりクランプ部の易変形部を実現することができる。上記第５の発明によれば、簡易な構成によりクランプ部の易変形部を実現することができる。上記第６の発明によれば、傾斜面のガイドにより棒状体の挿入性をより向上させることが可能となる。上記第７の発明によれば、帯状体と棒状体との連結を容易に行うことができ、連結具の利便性を高めることができる。上記第８の発明によれば、連結具または棒状体の係合相手（棒状体または連結具）を複数の中から適宜変更することで、取付部材と被取付部材との連結位置の調節を容易に行うことができる。上記第９の発明によれば、連結具の係合相手（棒状体）を複数の中から適宜変更することで、取付部材と被取付部材との連結位置の調節を容易に行うことができる。上記第１０の発明によれば、ショルダベルト等に連結具または連結構造を用いることで、長さや位置調節を容易に行うことが可能となり、その性能を大幅に向上させることができる。
【発明を実施するための最良の形態】
【００１７】
以下、本発明の実施の形態について図面を参照しながら説明する。以下では、特に断り書きのない限り、方向を示す用語「上」，「下」，「左」，「右」は、図２に示した状態を基準に定め、また、用語「前」，「後」はそれぞれ図２の紙面手前および奥方向に対応するものとする。
【００１８】
図１から図４はそれぞれ本発明の第１実施形態に係る連結具であるバックルの斜視図、正面図、側面図および平面図であり、図５は図２中のV−V断面図である。
【００１９】
バックル１は、軸部材や管部材などの棒状体とベルトやテープなどの帯状体との連結に供されるものであり、棒状体を取り付け可能な左右一対のクランプ部２と、帯状体を取り付け可能な帯状体取付部３とが合成樹脂材料により一体成形されている。
【００２０】
クランプ部２は、それぞれ略Ｃ字状断面（図５参照）を呈し、開口端４ａから挿入された棒状体を弾性的に保持する保持開口４を有している。クランプ部２は、開口端４ａが互いに前後方向に逆向きになるように配置されており、これにより、図３に示す保持軸方向において、円弧状部分を有する保持開口４が重なって、棒状体の外径に対応した径を有する実質的に円筒形をなす保持部が形成されている。また、クランプ部２は、保持軸方向の一側（ここでは、各クランプ部２の上壁の内側）が弾性変形容易に薄肉化された薄肉部６を有している。
【００２１】
帯状体取付部３は、クランプ部２の下壁、左右壁５および舌片状部７で画成された開口１１を有している。開口１１を左右に横切るように設けられたクロスバー１２には、図５に示すように、帯状体Ｂが折り返されるようにして巻き掛けられる。このとき、帯状体Ｂは、その固定端側Ｂ１が下方に引っ張られることで、その内側の自由端側Ｂ２が折り曲げられた状態で舌片状部７の後端縁７ａに対して押し付けられ、これにより、舌片状部７やクロスバー１２との間の摩擦力によって強固に固定される。また、帯状体Ｂは、開口１１からの自由端側Ｂ２の引き出し長さを調節することで、固定端側Ｂ１の長さ（帯状体Ｂの有効長さ）を調節可能となっている。
【００２２】
図６はバックル１に棒状体を取り付ける一連の動作を示す図である。ここでは、棒状体Ｒを金属製の方形リング２１の一部として構成した場合を示す。なお、図６には、図１の背面側から見たバックル１が示されている。
【００２３】
まず、バックル１の使用者は、図６（Ａ）に示すように、略前後方向に軸を向けた棒状体Ｒの中間部を左右のクランプ部２間の溝２２に差し込み、この溝２２を中心として棒状体Ｒを各クランプ部２の保持開口４に向けて所定方向（矢印方向）に回動させる。このとき、各クランプ部は、回動する棒状体に当接することにより、互いに相手側クランプ部２に対し、棒状体を開口端４ａから挿入する挿入力を生じさせる。これにより、棒状体Ｒは、弾性変形容易な薄肉部６側から保持開口４に挿入され、図６（Ｂ）に示すように、保持開口４内に保持される。なお、方形リング２１側には、図５に示したものとは別の帯状体を巻き掛けることが可能である。
【００２４】
このように、クランプ部２の保持軸方向の一側に弾性変形容易な易変形部（薄肉部６）を設け、この易変形部側から棒状体Ｒを挿入する構成としたので、保持開口４に対する棒状体Ｒの挿入性を良好に維持できる。また、棒状体Ｒが保持開口４に挿入された後は、薄肉部６のみならずバックルの左右壁５の一部（肉厚部）によって保持されるため、その保持力を高めることができる。また、クランプ部２の下方に帯状体取付部３を設けることによって、リュックサック等におけるショルダベルト、サイドコンプレッションおよびチェストストラップ等への適用が容易となり、バックルの利便性が高まる。
【００２５】
図７はバックルに取り付けられた棒状体の他の構成例を示す斜視図であり、図８は図７に示すバックルおよび棒状体の断面図である。ここでは、棒状体Ｒを樹脂製部品３１の一部をとして構成した場合を示す。
【００２６】
樹脂製部品３１は、左右一対の壁部３２の内面に両端を接続される棒状体Ｒを有している。棒状体Ｒには、その外周面に開口し、軸方向に延在する長孔３３が設けられており、図６に示した方形リング２１の場合と同様に、バックル１の保持開口４に対して取り付けられる。樹脂製部品３１には帯状体を挿通可能な開口３４が設けられており、開口３４の周縁の一部を構成する巻き掛け部３５には、図８に示すように、無端の帯状体Ｃを巻き掛けることが可能である。
【００２７】
図９および図１０はクランプ部の変形例を示す図である。ここでは、便宜上、一方のクランプ部２のみを独立した形態で示してあるが、図１から図７に示したバックル１の一部として構成することが可能である。なお、図９および図１０に示すクランプ部２は、図１に示した右側のクランプ部に相当するが、左側のクランプ部についても同様の構成が可能である。
【００２８】
クランプ部２の薄肉部６は、図９（Ａ）に示すように、上述のような上壁のみならず保持開口３４周りの略全周にわたって形成したり、図９（Ｂ）に示すように、保持開口３４周りの中間部に形成したりすることができる。また、開口端４ａを拡げるように、棒状体の挿入をガイドする傾斜面３８を形成することで、棒状体の挿入性を一層向上させることが可能となる。さらに、図１０に示すように、薄肉部６の代わりに、クランプ部２の保持軸方向の一側の壁を切り欠いた切欠き部４１を形成してもよい。なお、薄肉部６の厚さおよび範囲ならびに切欠き部４１の形状および位置は、クランプ部２における断面係数や弾性率を考慮して決定することができる。
【００２９】
図１１は本発明に係るバックルを用いた連結機構を備えた袋物の一例である第１のリュックサックを示す斜視図であり、図１２はリュックサックのショルダベルトの位置調節方法を示す模式図である。
【００３０】
リュックサック５１は、図１１に示すように、その背面（取付部材）５１ａに上下端が縫いつけられた左右一対のショルダベルト（被取付部材）５２を備えている。リュックサックの背面５１ａ上部と、ショルダベルト５２の外面側の中間部には、それぞれ左右一対の樹脂製の梯子状部材５３，５４が取り付けられている。梯子状部材５３，５４における各横桟部は上述のバックル１を連結可能な棒状体Ｒを形成する。これにより、梯子状部材５３と梯子状部材５４とは、バックル１をベルト両端に備えたトップストラップ５５によって連結可能となる。
【００３１】
このような連結機構においては、トップストラップ５５のバックル１の取り付け対象（棒状体Ｒ）を変更することで、ショルダベルト５２の有効長さや支持形態を変更することができる。例えば、図１２に示すように、リュックサック５１の上部に比較的重い収容物Ｌを詰める場合、リュックサック上部が後方に引き下げられることで、使用者は後方に引っ張られるような感覚を持ち、多大な疲労感が生じる場合がある。そこで、リュックサック５１およびショルダベルト５２に対するトップストラップ５５の取付位置を、収容物の量および配置ならびに使用者の体型（肩幅等）などに応じて調節（即ち、適切な位置の棒状体Ｒを適宜選択）することができる。この場合、図１２中の二点鎖線で示すように、リュックサック５１の背面５１ａに対するトップストラップ５５の角度θを最適な値（例えば、４５度）に変更するとよい。これにより、ショルダベルト５２の性能を大幅に向上させることが可能となる。
【００３２】
なお、ショルダベルト５２の梯子状部材５３を省略し、トップストラップ５５の下端側をショルダベルト５２に縫いつけた構成も可能である。また、梯子状部材５３，５４における各棒状体Ｒの代わりにバックル１をそれぞれ取り付ける一方、トップストラップ５５の両端のバックル１の代わりに棒状体（例えば、図６に示した方形リング２１）を取り付けた構成も可能である。
【００３３】
図１３は本発明に係るバックルを用いた連結機構を備えた袋物の一例である第２のリュックサックを示す斜視図である。両ショルダベルト５２の内側の縁部には、左右に対をなす樹脂製のループ部材６１が高さ方向に複数組連ねられるように設けられている。各ループ部材６１は上述のバックル１を連結可能な棒状体Ｒを形成する。これにより、左右一対のループ部材６１は、バックル１をベルト両端に備えたチェストストラップ６２によって連結可能ととなる。使用者は、荷物の量および配置や使用者の体型などに応じてチェストストラップ６２の取付位置の変更（ここでは、高さの変更）や長さ調節を行うことができる。
【００３４】
図１４は本発明に係るバックルを用いた連結機構を備えた袋物の一例である第３のリュックサックを示す斜視図である。リュックサック５１は、側面５１ｂの前後に対をなす樹脂製の格子状部材７１が高さ方向に所定間隔をおいて複数組配置されている。これら格子状部材７１の周縁は上述のバックル１を連結可能な棒状体Ｒを形成する。これにより、前後一対の格子状部材７１は、バックル１をベルト両端に備えたサイドコンプレッション７２によって連結可能ととなる。使用者は、荷物の量および配置や使用者の体型などに応じてサイドコンプレッション７２の取付位置の変更（ここでは、高さの変更）や長さ調節を行うことができる。
【００３５】
図１５は、本発明の第２実施形態に係る連結具であるバックルの斜視図である。以下で特に言及しない事項については、第１実施形態の場合と同様である。
【００３６】
第２実施形態に係るバックル１では、上記第１の実施形態における一方の（左側）クランプ部２の代わりに、当接片８１が設けられている。この当接片８１は、第１実施形態に示した左側クランプ部２の上壁を取り除いた略平板状を呈し、クランプ機能を有していない点を除けば、第１実施形態の左側クランプ部と同様に機能する。
【００３７】
即ち、当接片８１は、クランプ部２の保持軸方向の一側（薄肉部６が設けられた側）において、当該クランプ部２との間に棒状体を挿入可能な溝（間隙）２２を配するように設けられている。また、図６の場合と同様に、棒状体が溝２２に挿入された後に当該溝２２を中心としてクランプ部２の開口端４ａに向けて回動させられた際には、当接片８１は、その当接部位８１ａが棒状体に当接することにより、棒状体を開口端４ａから挿入する挿入力を生じさせる。これにより、例えば、１つのクランプ部のみを設ける場合も、上述の場合と同様に棒状体を回動させながら保持開口に挿入することが容易となる。
【００３８】
本発明を特定の実施形態に基づいて詳細に説明したが、これらの実施形態はあくまでも例示であって本発明はこれらの実施形態によって限定されるものではない。例えば、クランプ部の数量、形状および位置は、適宜変更可能である。また、バックルの帯状体取付部の代わりに上述と同様のクランプ部を設けて棒状体同士を連結する構成も可能である。さらに、本発明を適用可能な袋物は、リュックサックに限らず、物を入れて持ち運ぶために用いられ、連結具を介して着脱可能に設けられたベルト等を有する任意の袋状の用具でよい。
【図面の簡単な説明】
【００３９】
【図１】本発明の第１実施形態に係るバックルの斜視図
【図２】本発明の第１実施形態に係るバックルの正面図
【図３】本発明の第１実施形態に係るバックルの側面図
【図４】本発明の第１実施形態に係るバックルの平面図
【図５】図２中のV−V断面図
【図６】バックルに棒状体を取り付ける一連の動作を示す図
【図７】バックルに取り付けられた棒状体の他の構成例を示す斜視図
【図８】図７に示すバックルおよび棒状体の断面図
【図９】クランプ部の変形例を示す図
【図１０】クランプ部の別の変形例を示す図
【図１１】本発明の第１実施形態に係るバックルを用いた連結機構を備えた第１のリュックサックを示す斜視図
【図１２】リュックサックのショルダベルトの位置調節方法を示す模式図
【図１３】本発明の第１実施形態に係るバックルを用いた連結機構を備えた第２のリュックサックを示す斜視図
【図１４】本発明の第１実施形態に係るバックルを用いた連結機構を備えた第３のリュックサックを示す斜視図
【図１５】本発明の第２実施形態に係るバックルの斜視図
【符号の説明】
【００４０】
１  バックル（連結具）
２  クランプ部
４  保持開口
４ａ  開口端
６  薄肉部（易変形部）
１１  開口
１２  クロスバー
２１  方形リング
２２  溝
３１  樹脂製部品
３４  開口
３５  巻き掛け部
３８  傾斜面
４１  切欠き部（易変形部）
５１  リュックサック（袋物）
５１ａ  背面（取付部材）
５２  ショルダベルト（被取付部材）
５３，５４  梯子状部材
５５  トップストラップ（連結手段）
６２  チェストストラップ（連結手段）
７２  サイドコンプレッション（連結手段）
８１  当接片
Ｂ，Ｃ  帯状体
Ｒ  棒状体
【図１】
2010042064.tif 000003
【図２】
2010042064.tif 000004
【図３】
2010042064.tif 000005
【図４】
2010042064.tif 000006
【図５】
2010042064.tif 000007
【図６】
2010042064.tif 000008
【図７】
2010042064.tif 000009
【図８】
2010042064.tif 000010
【図９】
2010042064.tif 000011
【図１０】
2010042064.tif 000012
【図１１】
2010042064.tif 000013
【図１２】
2010042064.tif 000014
【図１３】
2010042064.tif 000015
【図１４】
2010042064.tif 000016
【図１５】
2010042064.tif 000017